(57)【要約】【課題】スカム発生が確認された際に、即座かつ簡易にスカムを処置することができるポータブル型スカム焼却装置を提供すること。【解決手段】先端側を発熱部２とした所要長さの棒状のシーズヒータ１と、シーズヒータ１の基部に設けられたグリップ３と、グリップ３に設けられたシーズヒータ１のスイッチ４とを備える。【選択図】図１
2005270691.tif 000002
【特許請求の範囲】
【請求項１】
先端側を発熱部とした所要長さの棒状のシーズヒータと、該シーズヒータの基部に設けられた把持部と、該把持部に設けられたシーズヒータのスイッチとを備えたことを特徴とするポータブル型スカム焼却装置。
【請求項２】
シーズヒータを把持部に対し着脱可能に設けたことを特徴とする請求項１記載のポータブル型スカム焼却装置。
【発明の詳細な説明】
【技術分野】
【０００１】
本発明は、ポータブル型スカム焼却装置に関し、特に、スカム発生が確認された際に、即座かつ簡易にスカムを処置することができるポータブル型スカム焼却装置に関するものである。
【背景技術】
【０００２】
従来のスカム除去技術には、浮上したスカムを物理的に回収する方式や、スプレー等による破砕方式、殺菌剤による放線菌の殺菌等が挙げられ、他にはＳＲＴ（汚物滞留時間）を短縮する等、運転管理での抑制対策もとられている。
【０００３】
しかしながら、スカムは水や汚泥の処理プロセスでは多かれ少なかれ必ず発生するもので、実際にはこれらの対策や設備を導入し自動化を推進していても、目視による人員チェックは行われており、この際に、大量のスカムが発生している箇所も確認されている。
この場合、運転管理の修正を行う場合が多いが、即座の処置は不可能であり、その効果の程も確認されてはいない。
【発明の開示】
【発明が解決しようとする課題】
【０００４】
本発明は、上記従来のポータブル型スカム焼却装置の有する問題点に鑑み、スカム発生が確認された際に、即座かつ簡易にスカムを処置することができるポータブル型スカム焼却装置を提供することを目的とする。
【課題を解決するための手段】
【０００５】
上記目的を達成するため、本発明のポータブル型スカム焼却装置は、先端側を発熱部とした所要長さの棒状のシーズヒータと、該シーズヒータの基部に設けられた把持部と、該把持部に設けられたシーズヒータのスイッチとを備えたことを特徴とする。
【０００６】
この場合において、シーズヒータを把持部に対し着脱可能に設けることができる。
【発明の効果】
【０００７】
本発明のポータブル型スカム焼却装置によれば、先端側を発熱部とした所要長さの棒状のシーズヒータと、該シーズヒータの基部に設けられた把持部と、該把持部に設けられたシーズヒータのスイッチとを備えることから、シーズヒータから発生する熱量を利用して、主にスカム発生の原因となる放線菌様細菌を焼却し死滅させることができ、これにより、スカム発生が確認された際に、即座かつ簡易にスカムを処置することができる。
そして、破砕などの物理的処理と異なり、菌そのものを死滅させるので効果が大きく、また、即効性があり、さらに、簡易装置のため難しい操作が不要で誰でも使用することができる。
【０００８】
この場合、シーズヒータを把持部に対し着脱可能に設けることにより、処理槽の水深に合わせ長さのあったヒータに簡単に交換することができる。
【発明を実施するための最良の形態】
【０００９】
以下、本発明のポータブル型スカム焼却装置の実施の形態を、図面に基づいて説明する。
【実施例１】
【００１０】
図１〜図２に、本発明のポータブル型スカム焼却装置の一実施例を示す。
このポータブル型スカム焼却装置は、先端側を発熱部２とした所要長さの棒状のシーズヒータ１と、該シーズヒータ１の基部に設けられたグリップ３と、該グリップ３に設けられたシーズヒータ１のスイッチ４とを備えている。
シーズヒータ１は、グリップ３に対し着脱可能に設けられており、また、その先端部はクラブヘッド状に大きく形成されている。
【００１１】
具体的には、図１に示すように、シーズヒータ１に腐食対策としてテフロン（登録商標）等でコーティングを施し、その基部にはグリップ３とスイッチ４が存在する。シーズヒータ１の基部からはコンセント５が伸び、設備内の１００Ｖ用電源に接続するだけで容易に使用することができる。
シーズヒータ１の容量は１ｋＷであり、この場合、発熱部２におけるヒータの表面温度２００℃程度が期待できるため、一般的な好熱性細菌を死滅させるには十分な温度と言える。
【００１２】
また、人手でスイッチ４を押し込んで初めてヒータ１がＯＮになり、発熱部２が発熱を開始し、押し込みを止めるとスイッチは自動でＯＦＦになる。これにより、なんらかの事故でスカム焼却装置が落ちたりしても、作業者の手を離れるとスイッチがＯＦＦになるので安全である。
さらに、グリップ３とシーズヒータ１は、ヒータ着脱部６の位置で取り外しが可能であり、これにより、処理槽の水深に合わせ長さのあったヒータを簡単に取り付けることができる。
【００１３】
ある浄化槽反応タンクにスカム７が発生したとすると、図２に示すように、スカム発生部位でシーズヒータ１のスイッチ４をＯＮし、発熱部２をスカム７に漬け込み、スカム７を攪拌するように動かし、菌の焼却とスカム７の焼き切りを行う。
このとき、同図の矢印に示すように、上下にスカム焼却装置を動かし、発熱部４を、水中、気中と出し入れしながら攪拌を行うのが望ましい。これは、水中のみの攪拌を行うと、シーズヒータ１からの発熱エネルギーが反応タンク内の水の顕熱負荷に使用され、効果が薄れるためである。
このような作業により、スカム７は大幅に減少する。そして、使用後は、スイッチから手を離し、水にしばらく浸して発熱部２を冷却してから、シーズヒータ１を引き上げる。
【００１４】
かくして、本実施例のポータブル型スカム焼却装置は、汚水の貯留槽や消化槽、浄化槽の腐敗槽などで発生するスカムに対し、シーズヒータから発生する熱量を利用して、主にスカム発生の原因となる放線菌様細菌を死滅させることができ、また、スカム焼却装置を、人手による作業が容易なように軽量でコンパクトに形成することができる。
また、本実施例のポータブル型スカム焼却装置によるスカム処理は、邪魔板等でスカムを処理層の一部に集めることにより、より効率的に行うことができる。
【００１５】
以上、本発明のポータブル型スカム焼却装置について、その実施例に基づいて説明したが、本発明はこの実施例に記載した構成に限定されるものではなく、その趣旨を逸脱しない範囲において適宜その構成を変更することができる。
【産業上の利用可能性】
【００１６】
本発明のポータブル型スカム焼却装置は、スカム発生が確認された際に、即座かつ簡易にスカムを処置するという特性を有していることから、即応的なスカム処理の用途に好適に用いることができるほか、例えば、液体表面中の菌の殺菌が必要な場合には、場所等を問わず応用できる可能性が大きい。
【図面の簡単な説明】
【００１７】
【図１】本発明のポータブル型スカム焼却装置の一実施例を示す正面図である。
【図２】同スカム焼却装置の使用状態を示す正面図である。
【符号の説明】
【００１８】
１    シーズヒータ
２    発熱部
３    グリップ
４    スイッチ
５    コンセント
６    ヒータ着脱部
７    スカム
【図１】
2005270691.tif 000003
【図２】
2005270691.tif 000004